(57)【要約】【課題】マイク等の入力装置１から取り込まれた音声を、聞き取りやすい音量に自動的に調節することができるようにする。【解決手段】最大適正音量の上限値と最小適正音量の下限値との間で適正音量範囲を有するデータ処理装置２により、マイク等の入力装置１によって取り込まれた音量に対するボリューム値が適正音量範囲内にて適正であると判断するまでボリュームを調節し、適正であると判断すると、記憶装置３のボリューム値を適正であると判断したボリュームの値に更新するようにすることで、マイク等の入力装置１から取り込まれた音声を、聞き取りやすい音量に自動的に調節することができるようにする。【選択図】    図１
2004179947.tif 000002
【特許請求の範囲】
【請求項１】
音声を取り込む入力装置と、
現在のボリューム値を記憶する記憶装置と、
最大適正音量の上限値と最小適正音量の下限値との間で適正音量範囲を有し、前記取り込まれた音量に対するボリューム値が前記適正音量範囲内にて適正であると判断するまでボリュームを調節し、適正であると判断すると、前記記憶装置のボリューム値を適正であると判断したボリュームの値に更新するデータ処理装置とを備える
ことを特徴とするマイク音量自動調節システム。
【請求項２】
前記記憶装置は、
前記上限値が記憶されている最大適正音量記憶部と、
前記下限値が記憶されている最小適正音量記憶部と、
前記取り込まれた音量の確認に必要な回数が記憶されている確認回数記憶部と、
前記ボリューム値の適正を判断するために、前記適正音量範囲内となる確認回数として必要な最低回数が記憶されている適正回数記憶部と、
前記ボリューム値が高いと判断するために、前記適正音量範囲以上となる確認回数として必要な最低回数が記憶されている超過回数記憶部と、
前記取り込まれた音量が一定の大きさでない、もしくは、取り込まれていないことを判断するために、前記適正音量範囲以下となる確認回数として必要な最低回数が記憶されている未達回数記憶部と、
前記取り込まれた音量を一定間隔で確認した回数が記憶される現確認回数記憶部と、
前記取り込まれた音量のうち、適正な音量であったと確認された回数が記憶される現適正回数記憶部と、
前記取り込まれた音量のうち、前記最大適正音量記憶部の値を超えたと確認された回数が記憶される現超過回数記憶部と、
前記取り込まれた音量のうち、前記最小適正音量記憶部の値を下回ったと確認された回数が記録される現未達回数記憶部とを備え、
前記データ処理装置は、
前記入力装置から取り込まれた音量が適正であるか否かを、前記最大適正音量記憶部の上限値と前記最小適正音量記憶部の下限値とを参照して判断する入力音量判断手段と、
前記入力音量判断手段による判断を一定間隔で実行させるためのタイマーを管理するタイマー手段と、
前記現適正回数記憶部、現超過回数記憶部、現未達回数記憶部の回数を参照し、前記現在のボリューム値が適正であるかを判断するボリューム適正判断手段と、
前記ボリュームを調節するとともに、前記現在のボリューム値を、前記ボリューム適正判断手段によって適正と判断されたボリューム値に更新する音量調節手段とを備える
ことを特徴とする請求項１に記載のマイク音量自動調節システム。
【請求項３】
前記ボリュームを調節する場合、前記記憶装置のボリューム値を最大値に初期化し、前記取り込まれた音量に対するボリューム値が適正であると判断されるまで前記ボリュームを徐々に下げる調節を行うことを特徴とする請求項１又は２に記載のマイク音量自動調節システム。
【請求項４】
前記ボリュームを調節する場合、前記記憶装置のボリューム値を最小値に初期化し、前記取り込まれた音量に対するボリューム値が適正であると判断されるまで前記ボリュームを徐々に上げる調節を行うことを特徴とする請求項１又は２に記載のマイク音量自動調節システム。
【請求項５】
音声を取り込む工程と、
現在のボリューム値を記憶する工程と、
最大適正音量の上限値と最小適正音量の下限値との間で適正音量範囲を有し、前記取り込まれた音量に対するボリューム値が前記適正音量範囲内にて適正であると判断するまでボリュームを調節し、適正であると判断すると、前記現在のボリューム値を適正であると判断したボリュームの値に更新する工程とを有する
ことを特徴とするマイク音量自動調節方法。
【請求項６】
前記上限値が記憶される工程と、
前記下限値が記憶される工程と、
前記取り込まれた音量の確認に必要な回数が記憶される工程と、
前記ボリューム値の適正を判断するために、前記適正音量範囲内となる確認回数として必要な最低回数が記憶される工程と、
前記ボリューム値が高いと判断するために、前記適正音量範囲以上となる確認回数として必要な最低回数が記憶される工程と、
前記取り込まれた音量が一定の大きさでない、もしくは、取り込まれていないことを判断するために、前記適正音量範囲以下となる確認回数として必要な最低回数が記憶される工程と、
前記取り込まれた音量を一定間隔で確認した回数が記憶される現確認回数記憶部と、
前記取り込まれた音量のうち、適正な音量であったと確認された回数が記憶される工程と、
前記取り込まれた音量のうち、前記上限値を超えたと確認された回数が記憶される工程と、
前記取り込まれた音量のうち、前記下限値を下回ったと確認された回数が記録される工程と、
前記取り込まれた音量が適正であるか否かを、前記上限値と前記下限値とを参照して判断する工程と、
前記判断を一定間隔で実行させるためのタイマーを管理する工程と、
前記適正な音量であったと確認された回数、前記上限値を超えたと確認された回数、前記下限値を下回ったと確認された回数を参照し、前記現在のボリューム値が適正であるかを判断する工程と、
前記ボリュームを調節するとともに、前記現在のボリューム値を、前記適正と判断されたボリューム値に更新する工程とを有する
ことを特徴とする請求項５に記載のマイク音量自動調節方法。
【請求項７】
前記ボリューム値を最大値に初期化し、前記取り込まれた音量に対するボリューム値が適正であると判断されるまで前記ボリュームを徐々に下げる工程を有することを特徴とする請求項５又は６に記載のマイク音量自動調節方法。
【請求項８】
前記ボリューム値を最小値に初期化し、前記取り込まれた音量に対するボリューム値が適正であると判断されるまで前記ボリュームを徐々に上げる工程を有することを特徴とする請求項５又は６に記載のマイク音量自動調節方法。
【発明の詳細な説明】
【０００１】
【発明の属する技術分野】
本発明は、コンピュータに接続されるマイク等の入力装置から取り込まれた音声を、聞き取りやすい音量に自動的に調節するマイク音量自動調節システムに関する。
【０００２】
【従来の技術】
インターネットが普及するに従い、インターネットを介して音声を通信するケースが増えてきている。
このような場合、入力音量を調節する必要があるが、特許文献１，２では様々な入力音量の調節方法を提案している。つまり、特許文献１，２では、全ての入力音声を累積して平均値を求め、その差分から入力音量を調節するようにしている。
【０００３】
【特許文献１】
特開２００２−１８５２７６号公報
【特許文献２】
特開平０１−０１９５５８号公報
【０００４】
【発明が解決しようとする課題】
ところが、特許文献１，２に示された入力音量の調節方法では、全ての入力音声を累積して平均値を求め、その差分から入力音量を調節するようにしているため、音声以外の音が大きい場合や小さい場合、音声の入力音量がその平均値の影響を受けることから、音声自体を聞き取りやすい音量に調節することは困難になるものと予測される。
【０００５】
本発明は、このような状況に鑑みてなされたものであり、マイク等の入力装置から取り込まれた音声を、聞き取りやすい音量に自動的に調節することができるマイク音量自動調節システムを提供することができるようにするものである。
【０００６】
【課題を解決するための手段】
本発明のマイク音量自動調節システムは、音声を取り込む入力装置と、現在のボリューム値を記憶する記憶装置と、最大適正音量の上限値と最小適正音量の下限値との間で適正音量範囲を有し、取り込まれた音量に対するボリューム値が適正音量範囲内にて適正であると判断するまでボリュームを調節し、適正であると判断すると、記憶装置のボリューム値を適正であると判断したボリュームの値に更新するデータ処理装置とを備えることを特徴とする。
また、記憶装置は、上限値が記憶されている最大適正音量記憶部と、下限値が記憶されている最小適正音量記憶部と、取り込まれた音量の確認に必要な回数が記憶されている確認回数記憶部と、ボリューム値の適正を判断するために、適正音量範囲内となる確認回数として必要な最低回数が記憶されている適正回数記憶部と、ボリューム値が高いと判断するために、適正音量範囲以上となる確認回数として必要な最低回数が記憶されている超過回数記憶部と、取り込まれた音量が一定の大きさでない、もしくは、取り込まれていないことを判断するために、適正音量範囲以下となる確認回数として必要な最低回数が記憶されている未達回数記憶部と、取り込まれた音量を一定間隔で確認した回数が記憶される現確認回数記憶部と、取り込まれた音量のうち、適正な音量であったと確認された回数が記憶される現適正回数記憶部と、取り込まれた音量のうち、最大適正音量記憶部の値を超えたと確認された回数が記憶される現超過回数記憶部と、取り込まれた音量のうち、最小適正音量記憶部の値を下回ったと確認された回数が記録される現未達回数記憶部とを備え、データ処理装置は、入力装置から取り込まれた音量が適正であるか否かを、最大適正音量記憶部の上限値と最小適正音量記憶部の下限値とを参照して判断する入力音量判断手段と、入力音量判断手段による判断を一定間隔で実行させるためのタイマーを管理するタイマー手段と、現適正回数記憶部、現超過回数記憶部、現未達回数記憶部の回数を参照し、現在のボリューム値が適正であるかを判断するボリューム適正判断手段と、ボリュームを調節するとともに、現在のボリューム値を、ボリューム適正判断手段によって適正と判断されたボリューム値に更新する音量調節手段とを備えるようにすることができる。また、ボリュームを調節する場合、記憶装置のボリューム値を最大値に初期化し、取り込まれた音量に対するボリューム値が適正であると判断されるまでボリュームを徐々に下げる調節を行うようにすることができる。
また、ボリュームを調節する場合、記憶装置のボリューム値を最小値に初期化し、取り込まれた音量に対するボリューム値が適正であると判断されるまでボリュームを徐々に上げる調節を行うようにすることができる。
本発明のマイク音量自動調節方法は、音声を取り込む工程と、現在のボリューム値を記憶する工程と、最大適正音量の上限値と最小適正音量の下限値との間で適正音量範囲を有し、取り込まれた音量に対するボリューム値が適正音量範囲内にて適正であると判断するまでボリュームを調節し、適正であると判断すると、現在のボリューム値を適正であると判断したボリュームの値に更新する工程とを有することを特徴とする。
また、上限値が記憶される工程と、下限値が記憶される工程と、取り込まれた音量の確認に必要な回数が記憶される工程と、ボリューム値の適正を判断するために、適正音量範囲内となる確認回数として必要な最低回数が記憶される工程と、ボリューム値が高いと判断するために、適正音量範囲以上となる確認回数として必要な最低回数が記憶される工程と、取り込まれた音量が一定の大きさでない、もしくは、取り込まれていないことを判断するために、適正音量範囲以下となる確認回数として必要な最低回数が記憶される工程と、取り込まれた音量を一定間隔で確認した回数が記憶される現確認回数記憶部と、取り込まれた音量のうち、適正な音量であったと確認された回数が記憶される工程と、取り込まれた音量のうち、上限値を超えたと確認された回数が記憶される工程と、取り込まれた音量のうち、下限値を下回ったと確認された回数が記録される工程と、取り込まれた音量が適正であるか否かを、上限値と下限値とを参照して判断する工程と、判断を一定間隔で実行させるためのタイマーを管理する工程と、適正な音量であったと確認された回数、上限値を超えたと確認された回数、下限値を下回ったと確認された回数を参照し、現在のボリューム値が適正であるかを判断する工程と、ボリュームを調節するとともに、現在のボリューム値を、適正と判断されたボリューム値に更新する工程とを有するようにすることができる。
また、ボリューム値を最大値に初期化し、取り込まれた音量に対するボリューム値が適正であると判断されるまでボリュームを徐々に下げる工程を有するようにすることができる。
また、ボリューム値を最小値に初期化し、取り込まれた音量に対するボリューム値が適正であると判断されるまでボリュームを徐々に上げる工程を有するようにすることができる。
本発明に係るマイク音量自動調節システムにおいては、最大適正音量の上限値と最小適正音量の下限値との間で適正音量範囲を有するデータ処理装置により、入力装置によって取り込まれた音量に対するボリューム値が適正音量範囲内にて適正であると判断するまでボリュームを調節し、適正であると判断すると、記憶装置のボリューム値を適正であると判断したボリュームの値に更新するようにする。
【０００７】
【発明の実施の形態】
以下、本発明の実施の形態について説明する。
図１は、本発明のマイク音量自動調節システムの一実施の形態を示す図、図２〜図４は、図１のマイク音量自動調節システムによるマイク音量自動調節方法を説明するための図、図５は、図２のステップを一部変更した場合の他の実施の形態を示す図である。
【０００８】
図１に示すように、マイク音量自動調節システムは、入力装置１、データ処理装置２、記憶装置３、出力装置４を備えている。入力装置１は、音声を取り込むマイク等である。データ処理装置２は、プログラム制御により動作するものである。記憶装置３は、情報を記憶するものである。出力装置４は、結果を表示するディスプレイ等である。
【０００９】
データ処理装置２は、入力音量判断手段２１、タイマー手段２２、ボリューム適正判断手段２３、音量調節手段２４を備えている。入力音量判断手段２１は、入力装置１から取り込まれた音量が適正であるか否かを、後述の最大適正音量記憶部３１の上限値と最小適正音量記憶部３２の下限値とを参照し判断するものである。タイマー手段２２は、入力音量判断手段２１による判断を一定間隔で実行させるためのタイマーを管理するものである。ボリューム適正判断手段２３は、後述の現適正回数記憶部３８、現超過回数記憶部３９、現未達回数記憶部３Ａのの回数を参照し、現在のボリューム値が適正であるか否かを判断するものである。音量調節手段２４は、ボリュームを調節するとともに、後述の現ボリューム記憶部３Ｂに記憶される現在のボリューム値を、ボリューム適正判断手段２３によって適正と判断されたボリューム値に更新するものである。
【００１０】
記憶装置３は、最大適正音量記憶部３１、最小適正音量記憶部３２、確認回数記憶部３３、適正回数記憶部３４、超過回数記憶部３５、未達回数記憶部３６、現確認回数記憶部３７、現適正回数記憶部３８、現超過回数記憶部３９、現未達回数記憶部３Ａ、現ボリューム記憶部３Ｂを備えている。
【００１１】
最大適正音量記憶部３１には、適正音量範囲の上限値が予め記憶されている。最小適正音量記憶部３２には、適正音量範囲の下限値が予め記憶されている。確認回数記憶部３３には、取り込まれた音量の確認に必要な回数が予め記憶されている。適正回数記憶部３４には、ボリューム値の適正を判断するために、適正音量範囲内となる確認回数として必要な最低回数が予め記憶されている。超過回数記憶部３５には、ボリューム値が高いと判断するために、適正音量範囲以上となる確認回数として必要な最低回数が予め記憶されている。未達回数記憶部３６には、取り込まれた音量が一定でない、もしくは、取り込まれていないことを判断するために、適正音量範囲以下となる確認回数として必要な最低回数が予め記憶されている。
【００１２】
現確認回数記憶部３７には、取り込まれた音量を一定間隔で確認した回数が記憶される。現適正回数記憶部３８には、取り込まれた音量のうち、適正な音量（最小適正音量記憶部３２の下限値から最大適正音量記憶部３１の上限値の間）であったと確認された回数が記憶される。現超過回数記憶部３９には、取り込まれた音量のうち、最大適正音量記憶部３１の上限値を超えたと確認された回数が記憶される。現未達回数記憶部３Ａには、取り込まれた音量のうち、最小適正音量記憶部３２の下限値を下回ったと確認された回数が記録される。現ボリューム記憶部３Ｂには、データ処理装置２が有する入力装置１に対する現在のボリューム値が記憶される。
【００１３】
次に、このような構成のマイク音量自動調節システムによるマイク音量自動調節方法について説明する。
まず、図２に示すように、音量調節手段２４により、現ボリューム記憶部３Ｂに記憶されている現在のボリューム値が最大値に初期化される（ステップＡ１）。現在のボリューム値が最大値に初期化されると、現確認回数記憶部３７、現適正回数記憶部３８、現超過回数記憶部３９、現未達回数記憶部３Ａが０に初期化されるとともに、タイマー手段２２により、タイマー処理が一定間隔で実行されるように設定される（ステップＡ２）。ここで、タイマー処理では、現確認回数記憶部３７に記憶される取り込まれた音量を一定間隔で確認した回数を１加算するので、タイマー処理が指定回数（確認回数記憶部３３の確認回数）を実行することを条件とし、現在確認回数＞確認回数となるまで次の処理への移行が行われない（ステップＡ３）。
【００１４】
現在確認回数＞確認回数となると、タイマー手段２２によるタイマーがリセットされる（ステップＡ４）。このリセットにより、タイマー処理が実行されなくなる。タイマーがリセットされると、ボリューム適正判断手段２３により、タイマー処理で更新された現適正回数記憶部３８、現超過回数記憶部３９、現未達回数記憶部３Ａに記憶されている回数から現ボリューム記憶部３Ｂに記憶されている現在のボリューム値が適正であるか否かの判断が行われる。つまり、タイマー処理で更新された現未達回数記憶部３Ａに記憶されている現未達回数（確認回数）が未達回数記憶部３６に記憶されている未達回数（確認回数）を超えているか否かが判断され（ステップＡ５）、現未達回数＞未達回数である場合は、音が取り込まれていない、もしくは、一定な音量として取り込まれていないと判断し、再度（ステップＡ２）からの処理が行われる。
【００１５】
これに対し、現未達回数＞未達回数でない場合は、一定な音量として取り込まれていると判断し、続いて現超過回数記憶部３９に記憶されている現超過回数（確認回数）が超過回数記憶部３５に記憶されている超過回数（確認回数）を超えているか否かが判断される（ステップＡ６）。
そして、現超過回数＞超過回数である場合、ボリュームが大きいと判断され、ボリュームを一定値下げてから（ステップＡ２）へ戻る（ステップＡ７）。これに対し、現超過回数＞超過回数でない場合、現適正回数記憶部３８に記憶されている現適正回数（確認回数）が適正回数記憶部３４に記憶されている適正回数（確認回数）を超えているか否かが判断され（ステップＡ８）、現適正回数＞適正回数でない場合には、一定な音量が取り込まれなかったと判断し、（ステップＡ２）へ戻り、現適正回数＞適正回数である場合は、ボリューム調節が完了したことをユーザへ通知する（ステップＡ９）。
【００１６】
次に、タイマー処理について説明する。図３に示すように、取り込まれた音量が取得される（ステップＢ１）。音量が取得されると、入力音量判断手段２１により、取り込まれた音量と最小適正音量記憶部３２に記憶されている最小適正音量（下限値）とが比較される（ステップＢ２）。入力音量＜最小適正音量である場合には、現未達回数記憶部３Ａに記憶されている現未達回数が１加算され（ステップＢ４）、さらに現確認回数記憶部３７に記憶されている現確認回数が１加算されて終了となる（ステップＢ７）。
【００１７】
これに対し、（ステップＢ２）で入力音量＜最小適正音量でない場合には、取り込まれた音量と最大適正音量記憶部３１に記憶されている最大適正音量（上限値）とが比較される（ステップＢ３）。入力音量＞最大適正音量である場合には、現超過回数記憶部３９に記憶されている現超過回数が１加算され（ステップＢ５）、さらに現確認回数記憶部３７に記憶されている現確認回数が１加算されて終了となる（ステップＢ７）。これに対し、（ステップＢ３）で入力音量＞最大適正音量でない場合には、現適正回数記憶部３８に記憶されている現適正回数が１加算され（ステップＢ６）、さらに現確認回数記憶部３７に記憶されている現確認回数が１加算されて終了となる（ステップＢ７）。
【００１８】
次に、実際にユーザが音声を入力した際の適正音量について説明する。まず、図４は、入力音量と時間とを軸としたグラフであり、適正音量範囲が最小適正音量（下限値）と最大適正音量（上限値）との間となっている。ユーザが音声を入力している間、ボリュームを最大から下げていくと、適正音量範囲内の入力音量が多くなり、そのときのボリュームが適正なボリュームとなる。この場合、Δｔという一定な間隔で入力音声を取得し、一定回数取得した入力音声が適正音量範囲を下回っているものが多い場合はそのまま続行し、適正音量範囲を上回っているものが多い場合はボリュームを下げ、適正音量範囲内のものが多い場合は処理終了となる。
【００１９】
このように、本実施の形態では、最大適正音量の上限値と最小適正音量の下限値との間で適正音量範囲を有するデータ処理装置２により、マイク等の入力装置１によって取り込まれた音量に対するボリューム値が適正音量範囲内にて適正であると判断するまでボリュームを調節し、適正であると判断すると、記憶装置３のボリューム値を適正であると判断したボリュームの値に更新するようにしたので、マイク等の入力装置１から取り込まれた音声を、聞き取りやすい音量に自動的に調節することができる。
【００２０】
また、取り込まれるべき音がマイク等の入力装置１に限られるため、マイク等の入力装置１から取り込まれた音が聞こえないような環境であっても、音量を調節することができる。また、データ処理装置２により、与えられたデータを元に自動的に音量の調節が行われるため、音量の調節を、マイク等の入力装置１の性能やユーザの手動操作によらず、一定な音量で設定することができる。
【００２１】
なお、本実施の形態では、図２の（ステップＡ１）でボリュームを最大値に初期化し、さらに図２の（ステップＡ５）で現未達回数記憶部３Ａに記憶されている現未達回数が未達回数記憶部３６に記憶されている未達回数を超えているとき、（ステップＡ２）へ戻る場合について説明したが、この例に限らず、たとえば図５に示すように、（ステップＣ１）ではボリュームを最小値として初期化し、（ステップＣ５）で現未達回数記憶部３Ａに記憶されている現未達回数が未達回数記憶部３６に記憶されている未達回数を超えているとき、（ステップＣ６）でボリュームを一定レベル上げた後、（ステップＣ２）へ戻るようにしてもよい。この場合、図５では、図２の（ステップＡ６）と同様な判断は不要となる。なお、図５の（ステップＣ３、Ｃ４、Ｃ７、Ｃ８）は、図２の（ステップＡ３、Ａ４、Ａ８、Ａ９）と同じ処理を示している。
【００２２】
【発明の効果】
以上の如く本発明に係るマイク音量自動調節システムによれば、最大適正音量の上限値と最小適正音量の下限値との間で適正音量範囲を有するデータ処理装置により、入力装置によって取り込まれた音量に対するボリューム値が適正音量範囲内にて適正であると判断するまでボリュームを調節し、適正であると判断すると、記憶装置のボリューム値を適正であると判断したボリュームの値に更新するようにしたので、マイク等の入力装置から取り込まれた音声を、聞き取りやすい音量に自動的に調節することができる。
【図面の簡単な説明】
【図１】本発明のマイク音量自動調節システムの一実施の形態を示す図である。
【図２】図１のマイク音量自動調節システムによるマイク音量自動調節方法を説明するためのフローチャートである。
【図３】図１のマイク音量自動調節システムによるマイク音量自動調節方法を説明するためのフローチャートである。
【図４】図１のマイク音量自動調節システムによるマイク音量自動調節方法を説明するためのグラフである。
【図５】図２のステップを一部変更した場合の他の実施の形態を示すフローチャートである。
【符号の説明】
１  入力装置
２  データ処理装置
３  記憶装置
３Ａ  現未達回数記憶部
３Ｂ  現ボリューム記憶部
４  出力装置
２１  入力音量判断手段
２２  タイマー手段
２３  ボリューム適正判断手段
２４  音量調節手段
３１  最大適正音量記憶部
３２  最小適正音量記憶部
３３  確認回数記憶部
３４  適正回数記憶部
３５  超過回数記憶部
３６  未達回数記憶部
３７  現確認回数記憶部
３８  現適正回数記憶部
３９  現超過回数記憶部
【図１】
2004179947.tif 000003
【図２】
2004179947.tif 000004
【図３】
2004179947.tif 000005
【図４】
2004179947.tif 000006
【図５】
2004179947.tif 000007